(57)【要約】【課題】石綿粉塵の外部飛散を防ぎ、安全に撤去できる石綿除去作業者用クリーンルーム。【解決手段】前室１１、洗浄室１２、更衣室１３の３つの室を区画形成していて、石綿除去作業者が作業開始前に更衣室１３で作業衣に着替え、呼吸用保護具２７等を着用し、作業後に前室１１に入って、呼吸用保護具２７を着用したまま保護衣２８等を脱ぎ、洗浄室１２で呼吸用保護具２７、作業衣等に付着した石綿をエアシャワーユニット９で払い落とし、更衣室１３で呼吸用保護具２７を脱いで室外に出るようになっている石綿除去作業者用クリーンルームであり、骨組Ａと、前後左右壁シート部１，２，３，４、屋根シート部５及び床シート部６で袋状に形成されると共に前後壁シート部１，２間が隔壁シート部７，８で前室１１と洗浄室１２と更衣室１３との３つに仕切られたプラスチックシート製の袋状ルーム本体Ｂとからなり、袋状ルーム本体Ｂを骨組Ａ内に吊り下げるようにした。【選択図】図１
2007303165.tif 000002
【特許請求の範囲】
【請求項１】
石綿除去作業場所に近い側から順に前室、洗浄室、更衣室の３つの室を区画形成していて、洗浄室にエアシャワーユニットを設置し、石綿除去作業者が作業開始前に更衣室で作業衣に着替え、呼吸用保護具、保護衣及びその他の保護具を着用し、作業後に前室に入って、呼吸用保護具を着用したままで、保護衣及びその他の保護具を脱ぎ、洗浄室で呼吸用保護具、作業衣、下着、身体に付着した石綿をエアーシャワーで払い落とし、更衣室で呼吸用保護具を脱いで室外に出るようになっている石綿除去作業者用クリーンルームであって、
鋼管等によって形成される骨組と、前後左右の壁シート部、屋根シート部及び床シート部で袋状に形成されると共に前壁シート部と後壁シート部との間が２つの隔壁シート部で前室と洗浄室と更衣室との３つの室に仕切られる可撓性プラスチックシート製の袋状ルーム本体とからなり、袋状ルーム本体は、骨組の内側において床シート部を地面に接地させた状態で屋根シート部側を骨組に吊り下げるようにした石綿除去作業者用クリーンルーム。
【請求項２】
骨組には袋状ルーム本体の屋根シート部に対応する所要箇所にシート取付用リングを設け、袋状ルーム本体には屋根シート部の所要箇所に吊り紐を取り付け、各吊り紐を骨組のシート取付用リングに通して縛り付けるようにした請求項１に記載の石綿除去作業者用クリーンルーム。
【請求項３】
骨組は、屋根杆と支柱とこれの下端部に取り付けるジャッキベースとこれの下端部どうしをつなぐ横つなぎ材とによってユニット枠を分解可能に組み立て、このユニット枠を所要間隔おきに複数並置し、対向するユニット枠の支柱どうし及び屋根杆どうしを縦つなぎ材で切り離し可能に連結して組み立てるようになっている請求項１又は２に記載の石綿除去作業者用クリーンルーム。
【発明の詳細な説明】
【技術分野】
【０００１】
本発明は、建物を解体・撤去する際に石綿含有吹付け材の除去作業を行なう作業者が、その作業前及び作業後に使用する石綿除去作業者用クリーンルームに関する。
【背景技術】
【０００２】
建物の耐火被覆材や断熱材として使用されていた石綿の繊維が人体に致命的な悪影響を及ぼすことが判明して以来、石綿含有吹付け材の除去作業従事者には、石綿含有吹付け材のレベルに応じて、身体に付着した石綿含有吹付け材を除去し、ばく露を防止するための洗顔、洗身又はうがいの設備、更衣設備又は洗濯のための設備を設置しなければならず、しかして洗身設備を含む石綿の汚染、ばく露防止施設として、外部及び作業場所から区画された更衣室、洗浄室、前室からなるセキュリティーゾーンとしてのクリーンルームを設置することが法律によって義務づけられている。
【０００３】
このクリーンルームは、石綿除去作業場所に近い側から順に前室、洗浄室、更衣室の３つの室を区画形成していて、その洗浄室にはエアシャワーユニットを設置し、石綿除去作業者が作業開始前に更衣室で作業衣に着替え、呼吸用保護具、保護衣及びその他保護手袋、作業靴、保護めがね等の保護具を着用し、作業後に前室に入って、呼吸用保護具は着用したままで保護衣及びその他の保護具を脱ぎ、洗浄室で呼吸用保護具、作業衣、下着、身体に付着した石綿をエアーシャワーで払い落とし、更衣室で呼吸用保護具を脱いで室外に出るようになっている。
【０００４】
従来のクリーンルームとして、特許公報等の公知文献を具体的に挙げることはできないが、現在使用されているクリーンルームとしては、鋼管等によって組み立て形成した骨組に可撓性のプラスチックシートを巻き付けたり、貼り付けたりしながら、前後左右の壁面部と屋根面部とを形成すると共に、前壁面部と後壁面部との間に隔壁シート部を介して前室と洗浄室と更衣室との３つの室を形成するようにしたものがある。
【発明の開示】
【発明が解決しようとする課題】
【０００５】
上記のようなクリーンルームでは、前室と洗浄室と更衣室の３つの室を形成するのに、骨組にプラスチックシートを巻き付けたり、貼り付けたりして、前後左右壁面部、屋根面部及び隔壁シート部を形成していることから、クリーンルームの使用後にルーム本体を形成するプラスチックシートを廃棄するにあたって、このシートクリーンルームを骨組から取り外すのに手間がかかる共に、その取り外し中に石綿の粉塵が外部に飛散しないように慎重に取り外し作業を行なう必要があって、その取り外し作業が非常に面倒であった。
【０００６】
そこで、本発明は、使用済みルーム本体を骨組に対し簡単容易に取付け・取外しできると共に、ルーム本体内部の石綿の粉塵を外部に飛散させるおそれがなく、安全に撤去して処理できるようにした石綿除去作業者用クリーンルームを提供することを目的とする。
【課題を解決するための手段】
【０００７】
上記課題を解決するための手段を、後述する実施形態の参照符号を付して説明すると、請求項１に係る発明は、石綿除去作業場所に近い側から順に前室１１、洗浄室１２、更衣室１３の３つの室を区画形成していて、洗浄室１２にエアシャワーユニット９を設置し、石綿除去作業者が作業開始前に更衣室１３で作業衣に着替え、呼吸用保護具２７、保護衣２８及びその他の保護具を着用し、作業後に前室１１に入って、呼吸用保護具２７は着用したままで保護衣２８及びその他の保護具を脱ぎ、洗浄室１２で呼吸用保護具２７、作業衣、下着、身体に付着した石綿をエアシャワーユニット９で払い落とし、更衣室１３で呼吸用保護具２７を脱いで室外に出るようになっている石綿除去作業者用クリーンルームであって、鋼管等によって形成される骨組Ａと、前後左右の壁シート部１，２，３，４、屋根シート部５及び床シート部６で袋状に形成されると共に前壁シート部１と後壁シート部２との間が２つの隔壁シート部７，８で前室１１と洗浄室１２と更衣室１３との３つの室に仕切られた可撓性プラスチックシート製の袋状ルーム本体Ｂとからなり、袋状ルーム本体Ｂは、骨組Ａの内側において床シート部６を地面に接地させた状態で屋根シート部５側を骨組Ａに吊り下げるようにしたことを特徴とする。
【０００８】
請求項２は、請求項１に記載の作業者用クリーンルームにおいて、骨組Ａには袋状ルーム本体Ｂの屋根シート部５に対応する所要箇所にシート取付用リング２４を設け、袋状ルーム本体Ｂには屋根シート部５の所要箇所に吊り紐２５を取り付け、各吊り紐２５を骨組のシート取付用リング２４に通して縛り付けるようにしたことを特徴とする。
【０００９】
請求項３は、請求項１又は２に記載の石綿除去作業者用クリーンルームにおいて、骨組Ａは、屋根杆１５と支柱１４とこれの下端部に取り付けるジャッキベース１８とこれの下端部どうしをつなぐ横つなぎ材１６とによってユニット枠ａを分解可能に組み立て、このユニット枠ａを所要間隔おきに複数並置し、対向するユニット枠ａ，ａの支柱１４，１４どうし及び屋根杆１５，１５どうしを縦つなぎ材１７で切り離し可能に連結して組み立てるようになっていることを特徴とする。
【発明の効果】
【００１０】
上記解決手段による発明の効果を、後述する実施形態の参照符号を付して説明すると、請求項１に係る発明の石綿除去作業者用クリーンルームによれば、鋼管等によって形成される骨組Ａと、前後左右の壁シート部１，２，３，４、屋根シート部５及び床シート部６とで袋状に形成されると共に前壁シート部１と後壁シート部２との間が２つの隔壁シート部７，８で前室１１と洗浄室１２と更衣室１３との３つの室に仕切られた可撓性プラスチックシート製の袋状ルーム本体Ｂとからなるもので、袋状ルーム本体Ｂが骨組Ａの内側において床シート部６を地面に接地させた状態で屋根シート部５側を骨組Ａに吊り下げるようになっているから、骨組Ａに対する袋状ルーム本体Ｂの取付け及び取外しが簡単に行なえ、特に袋状ルーム本体Ｂの使用後、これを廃棄する時には、袋状ルーム本体Ｂを骨組Ａから取り外してたたみ込んだ状態のまま、所定場所まで搬送すればよいから、袋状ルーム本体Ｂの内部にある石綿の粉塵が外部に飛散するおそれがなく、容易且つ安全に撤去して処分することができる。また、袋状ルーム本体Ｂが骨組Ａの内側に配置されることから、特に骨組Ａを解体する時に、この骨組Ａを形成する鋼管等によって袋状ルーム本体Ｂを突き破るおそれがなく、従って袋状ルーム本体Ｂ内の石綿粉塵が外部へ漏出する危険性がない。
【００１１】
請求項２に係る発明のように、骨組Ａには袋状ルーム本体Ｂの屋根シート部５に対応する所要箇所にシート取付用リング２４を設け、袋状ルーム本体Ｂには屋根シート部５の所要箇所に吊り紐２５を取り付け、各吊り紐２５を骨組のシート取付用リング２４に通して縛り付けるようにしているから、骨組Ａの屋根部側に対する袋状ルーム本体Ｂの取付作業及び取り外し作業を簡単容易にして且つ迅速に行なうことができる。
【発明を実施するための最良の形態】
【００１２】
請求項３に係る発明によれば、屋根杆１５と支柱１４とジャッキベース１８と横つなぎ材１６とによってユニット枠ａを分解可能に組み立て、このユニット枠ａを所要間隔おきに複数並置し、対向するユニット枠ａ，ａの支柱１４，１４どうし及び屋根杆１５，１５どうしを縦つなぎ材１７で切り離し可能に連結することによって骨組Ａを組み立てるようになっているから、骨組Ａの組み立て作業及び分解作業を容易且つ迅速に行なうことができる。
【００１３】
以下に本発明の好適な実施形態を図面に基づいて説明すると、図１は本発明に係る石綿除去作業者用クリーンルームＣＲの全体を示す斜視図、図２はクリーンルームＣＲの骨組Ａのみを示す斜視図、図３はクリーンルームＣＲの袋状ルーム本体Ｂのみを使用状態のまで示す斜視図である。このクリーンルームＣＲは、スチールパイプで組み立てられた骨組Ａと、前後左右の壁シート部１，２，３，４、屋根シート部５及び床シート部６からなる袋状に形成されると共に、前壁シート部１と後壁シート部２との間が２つの隔壁シート部７，８で前室１１と洗浄室１２と更衣室１３との３つの室１１〜１３に仕切られる可撓性プラスチックシート製の袋状ルーム本体Ｂとからなるもので、袋状ルーム本体Ｂは、床シート部６を地面に接地させた状態で屋根シート部５側を骨組Ａに吊り下げるようになっている。
【００１４】
骨組Ａは、山形の屋根杆１５と、支柱１４と、支柱１４の下端部に取り付けるジャッキベース１８と、このジャッキベース１８の下端部どうしをつなぐ横つなぎ材１６とによってユニット枠ａを形成し、こうして形成したユニット枠ａを所要間隔おきに複数並置し、対向するユニット枠ａ，ａの支柱１４，１４どうし及び屋根杆１５，１５どうしを縦つなぎ材１７で切り離し可能に連結して組み立てたもので、クリーンルームＣＲを撤去する際には、これらの支柱１４、屋根杆１５、横つなぎ１６、縦つなぎ材１７を互いに切り離して個々に分解することができるようになっている。尚、支柱１４、屋根杆１５及び縦つなぎ材１７は夫々鋼管（スチールパイプ）で形成され、横つなぎ材１６は角形鋼で形成される。
【００１５】
骨組Ａを構成する上記ジャッキベース１８、支柱１４、屋根杆１５、横つなぎ材１６及び縦つなぎ材１７を図６によって更に詳しく説明すると、同図の(a) に示すように、各屋根杆１５の左右両端部には夫々の前後側面部に楔受け２９が取り付けられ、各支柱１４には下端部の前後側面部に楔受け３０が取り付けられ、そして縦つなぎ材１７には両端部の夫々下面側に前記楔受け２９，３０に楔係合する楔片３１が下向きに突設されている。ジャッキベース１８はベースプレート１８ａに螺軸１８ｂを立設し、この螺軸１８ｂに支柱受け１８ｃを螺合したものである。ジャッキベース１８のベースプレート１８ａには略々Ｚ字形の取付片３２が溶接によって固着されていて、この取付片３２を図６の(b) に示すようにように角形鋼からなる横つなぎ材１６の端部に挿入して蝶ボルト３３及びナット３４で固定することにより、ジャッキベース１８と横つなぎ材１６とを連結することができる。
【００１６】
しかして、ユニット枠ａを形成するには、屋根杆１５の両端差込軸部１５ａ，１５ａを支柱１４，１４の夫々の上端部に差し込み、各支柱１４の下端部をジャッキベース１８の螺軸１８ｂに嵌合して支柱受け１８ｃに支持させると共に、支柱受け１８ｃを適宜回転させて支柱１４を高さ調整することにより、所定高さの自立したユニット枠ａを形成する。こうして形成したユニット枠ａ，ａの支柱１４，１４どうし及び屋根杆１５，１５どうしを縦つなぎ材１７で連結するにあたっては、縦つなぎ材１７の端部に下向きに突設された楔片３１を屋根杆１５側の楔受け２９及び支柱１４の下端部の楔受け３０に叩き込むようにすればよい。また、各ユニット枠ａの対向するジャッキベース１８，１８間に横つなぎ材１６を配置して、各ジャッキベース１８と横つなぎ材１６とを前記取付片３２を介して蝶ボルト３３及びナット３４で連結すればよい。
【００１７】
骨組Ａを形成する各山形屋根杆１５の山頂部と両裾部とには、シート取付用リング２４が夫々下向きに突出するように取り付けられている。各リング２４には、後述するように袋状ルーム本体Ｂの屋根シート部５に取り付けた吊り紐２５を通し入れて縛り付け、袋状ルーム本体Ｂを骨組Ａの屋根杆１５から吊り下げるようになっている。
【００１８】
袋状ルーム本体Ｂの構造について更に説明すれば、この袋状ルーム本体Ｂは、可撓性プラスチックシートとしての例えば半透明ポリエチレンシートによって、前後左右の壁シート部１，２，３，４、切妻形の屋根シート部５及び床シート部６からなる袋状で且つ隔壁シート部７，８によって前室１１と洗浄室１２と更衣室１３との３つの室１１〜１３に仕切られた無造作にたたみ込みできるように形成されている。
【００１９】
図３に示すように、切妻形の屋根シート部５には、骨組Ａを形成する各山形屋根杆１５の山頂部と両裾部と対応する位置に夫々、各山形屋根杆１５の山頂部と両裾部とに取り付けたシート取付用リング２４に通して縛り付ける吊り紐２５が取り付けられている。
【００２０】
この袋状ルーム本体Ｂの形成にあたっては、例えば、上記ポリエチレンシートを適宜に裁断して、前壁シート部１、後壁シート部２、左壁シート部３、右壁シート部４、屋根シート部５及び床シート部６を夫々形成すると共に、これらのシート部１〜６には夫々糊代部を設けておいて、これらのシート部１〜６を夫々糊代部を介して接着剤で接着することによって、図３に示すような袋状に形成することができる。
【００２１】
そして、前壁シート部１、後壁シート部２及び隔壁シート部７，８には夫々、出入り口２１，２２，１９，２０が直線状に切り欠かれ、各出入り口２１，２２，１９，２０は、図示は省略するが、その切欠き部分が重ね合わされて、その重ね合わせた部分にマジックテープ（登録商標）が貼り付けられたり、あるいはその切欠き部分にスライドファスナーが取り付けられることよって、内部の空気が外部へ漏出したり、隣り合う室の一方の室内の空気が他方の室内へ漏出することがないようになっている。
【００２２】
また、洗浄室１２の背面側壁シート部分４ｏには、エアシャワーユニット９を洗浄室１２内に入れたり、使用後に取り出すための出し入れ口２３が切欠きして形成され、この出し入れ口２３の切欠き部分も重ね合わせ状態に形成されて、洗浄室１２内の空気が外部へ漏出しないようにガムテープで密封されている。
【００２３】
石綿除去作業者用クリーンルームＣＲの設置にあたっては、骨組Ａを所定の場所に組み立てた後、この骨組Ａの内側に袋状ルーム本体Ｂを持ち込んで、このルーム本体Ｂの床シート部６を地面に接地させた状態で屋根シート部５を骨組Ａの屋根相当箇所に吊り下げればよい。この場合、骨組Ａの内側に持ち込んだ袋状ルーム本体Ｂの屋根シート部５を骨組Ａの屋根相当箇所に吊り下げれば、床シート部６は必然的に地面に接地する。屋根シート部５を骨組Ａに吊り下げるには、屋根シート部５に取り付けてある複数の吊り紐２５を各山形屋根杆１５の山頂部と両裾部と設けられたシート取付用リング２４に通して縛り付ければよい。
【００２４】
尚、袋状ルーム本体Ｂ内に形成される前室１１と洗浄室１２と更衣室１３との３つの室１１〜１３のうち、前室１１は、石綿除去作業場所に最も近い側に形成される。
【００２５】
このように骨組Ａの内側において床シート部６を地面に接地させた状態で屋根シート部５を骨組Ａに吊り下げてクリーンルームＣＲの設置を終えたならば、図１に示すように袋状ルーム本体Ｂの洗浄室１２にエアシャワーユニット９を持ち込んで設置する。この際には、洗浄室１２の背面側壁シート部分４ｏに設けてある出し入れ口２３を開いて、この出し入れ口２３からエアシャワーユニット９を洗浄室１２内に搬入し、その設置後に出し入れ口２３をガムテープで密封する。
【００２６】
また図１に示すように、前室１１内には、前壁シート部１の出入り口２１より脱衣カゴ１０及び真空掃除機２６を搬入する。
【００２７】
次に、上記のようにして設置された石綿除去作業者用クリーンルームＣＲの使用方法について図１を参照しながら説明する。尚、このクリーンルームＣＲの袋状ルーム本体Ｂ内では空気の流れは図１に矢印で示すように、後壁シート部２の出入り口２２から外部の新鮮な空気Ｈが入って、更衣室１３から洗浄室１２を通り、前室１１を通って前壁シート部１の出入り口２１から石綿除去作業場所側へ流動するような仕組みとなっている。
【００２８】
先ず、作業者は、石綿含有吹付け材作業を開始する前に、後壁シート部２の出入り口２２から袋状ルーム本体Ｂの更衣室１３に入って作業衣に着替え、呼吸用保護具２７を装着し、保護衣２８を着用し（保護衣２８は呼吸用保護具２７の上から着用する。）した後、隔壁シート部８の出入り口２０から洗浄室１２を通り、更に隔壁シート部７の出入り口１９から前室１１を通って、前壁シート部１の出入り口２１を出て、所定の石綿含有吹付け材除去設備（図示せず）内に入り、その除去作業を行なう。
【００２９】
石綿含有吹付け材除去設備での除去作業を終えた作業者は、そのままの姿で図１に示すように、前壁シート部１の出入り口２１から前室１１に入って、先ず、真空掃除機２６で呼吸用保護具２７、保護衣２８及び作業手袋、靴カバー等のその他の保護具に付着した粉塵とを吸引除去し、それから呼吸用保護具２７は着用したままで、保護衣２８及び作業手袋、靴カバー等のその他の保護具を脱衣する。脱いだ保護衣２８及びその他の保護具で使い捨てタイプのものは廃棄物専用プラスチック袋に詰め、特別管理産業廃棄物として処分する。尚、図１において、点線で示される大きな矢印は作業者が袋状ルーム本体Ｂ内を通過する方向を示す。
【００３０】
保護衣２８及び作業手袋、靴カバー等のその他の保護具を脱ぎ終えた作業者は、呼吸用保護具２７を着用したまま、隔壁シート部７の出入り口１９から洗浄室１２に入って、エアシャワーユニット９で呼吸用保護具２７、作業衣や下着、身体に付着した石綿を十分に払い落とす。こうして洗浄室１２での洗浄を終えたならば、隔壁シート部８の出入り口２０から更衣室１３に入って、呼吸用保護具２７を脱ぐ。またここで、呼吸用保護具２７を清掃、点検し、ろ過材等の部品の交換を行なう。こうして呼吸用保護具２７を脱いだ後、作業者は後壁シート部２の出入り口２２から外へ出る。
【００３１】
上記石綿除去作業者用クリーンルームＣＲの使用が済んで解体・撤去する時は、袋状ルーム本体Ｂ内に設置しているエアシャワーユニット９、脱衣カゴ１０、その他の設備を外に取り出す。エアシャワーユニット９を外へ出した後、背面側壁シート部分４ｏの出し入れ口２３は、洗浄室１２内にたまっている粉塵等が外部へ漏れないように再びガムテープで密封する。その後、袋状ルーム本体Ｂを骨組Ａから取り外す。
【００３２】
袋状ルーム本体Ｂを骨組Ａから取り外すには、図４に示すように、骨組Ａの各山形屋根杆１５のシート取付用リング２４に縛り付けている通し紐２５を解くことによって、袋状ルーム本体Ｂは、骨組Ａの屋根部から外れて地面に落下し、図５に示すようなたたみ込まれた状態となる。こうしてたたみこまれた状態の袋状ルーム本体Ｂは、密封されて袋詰めされた状態にあるから、そのまま特別管理産業廃棄物として所定の場所まで搬送し、処分すればよい。
【００３３】
袋状ルーム本体Ｂを取り外した骨組Ａは、適宜に分解し、保管しておくことによって、次の使用に供することができる。
【００３４】
以上説明したように、上記石綿除去作業者用クリーンルームＣＲは、スチールパイプによって組み立てられる骨組Ａと、前後左右の壁シート部１，２，３，４、屋根シート部５及び床シート部６からなる袋状に形成されると共に前壁シート部１と後壁シート部２との間が２つの隔壁シート部７，８で前室１１と洗浄室１２と更衣室１３との３つの室に仕切られた可撓性プラスチックシート製の袋状ルーム本体Ｂとからなるもので、袋状ルーム本体Ｂは骨組Ａの内側において床シート部６を地面に接地させた状態で屋根シート部５側を骨組Ａに吊り下げるようになっているから、袋状ルーム本体Ｂを骨組Ａに取り付けるのも簡単に行なえるし、骨組Ａから袋状ルーム本体Ｂを取り外すのも簡単に行なえ、特に袋状ルーム本体Ｂを使用した後、これを廃棄する時には、袋状ルーム本体Ｂを骨組Ａから取り外してたたみ込んだ状態のままで、所定場所まで搬送すればよいから、袋状ルーム本体Ｂの内部にある石綿の粉塵が外部に飛散するおそれがなく、安全に撤去して処分することができる。
【００３５】
また、このクリーンルームＣＲによれば、袋状ルーム本体Ｂが骨組Ａの内側に配置されることから、骨組Ａを解体する際に、骨組Ａを形成する鋼管等によって袋状ルーム本体Ｂを突き破るおそれがなく、従って袋状ルーム本体Ｂ内の石綿粉塵が外部へ漏出する危険性がない。つまり、クリーンルームＣＲの使用が終了してクリーンルームＣＲを解体する時は、骨組Ａから袋状ルーム本体Ｂを取り外してたたみ込んだ状態でそのまま所要の場所へ移動した後に骨組Ａを分解すればよいから、骨組Ａを形成する鋼管等によって袋状ルーム本体Ｂを突き破るようなことがないわけである。因みに、従来のクリーンルームにあっては、骨組をシート材で覆うような構造であるため、解体時にシート材が骨組を形成する鋼管で突き破られて破損するおそれが十分に考えれられ、石綿粉塵が外部へ漏出する危険性がある。
【００３６】
また、このクリーンルームＣＲでは、骨組Ａには袋状ルーム本体Ｂの屋根シート部５に対応する所要箇所にシート取付用リング２４を設け、袋状ルーム本体Ｂには屋根シート部５の所要箇所に吊り紐２５を取り付け、各吊り紐２５を骨組のシート取付用リング２４に通して縛り付けるようにしているから、骨組Ａの屋根部側に対する袋状ルーム本体Ｂの取付作業及び取り外し作業を簡単容易にして且つ迅速に行なうことができる。
【００３７】
この実施形態では、骨組Ａは、鋼管（スチールパイプ）製のものであるが、鋼管製のものに限らず、塩化ビニル製パイプや、木製のものでもよい。
【図面の簡単な説明】
【００３８】
【図１】本発明に係る石綿除去作業者用クリーンルームを示す斜視図である。
【図２】クリーンルームの骨組のみを示す斜視図である。
【図３】クリーンルームの袋状ルーム本体のみを使用状態で示す斜視図である。
【図４】骨組から袋状ルーム本体を取り外している途中の状態の斜視図である。
【図５】骨組から袋状ルーム本体を取り外してしまった状態の斜視図である。
【図６】(a) は骨組の組み立て構造を詳細に説明する骨組の分解斜視図、(b) はジャッキベースと横つなぎ材とを連結構造を示す断面図である。
【符号の説明】
【００３９】
ＣＲ          石綿除去作業者用クリーンルーム
Ａ            骨組
Ｂ            袋状ルーム本体
１            前壁シート部
２            後壁シート部
３            左壁シート部
４            右壁シート部
５            屋根シート部
６            床シート部
７，８        隔壁シート部
９            エアシャワーユニット
１１          前室
１２          洗浄室
１３          更衣室
２４          シート取付用リング
２５          吊り紐
【図１】
2007303165.tif 000003
【図２】
2007303165.tif 000004
【図３】
2007303165.tif 000005
【図４】
2007303165.tif 000006
【図５】
2007303165.tif 000007
【図６】
2007303165.tif 000008